(57)【要約】【課題】家庭等において比較的簡易に下肢、上肢を中心とする脚部を鍛練することができ、安価でコンパクトな身体運動具の提供を目的とする。【解決手段】身体運動具１０は、床面等に支持面に載置される状態で支持される基台１を備え、基台１上には基台１に対してθ１方向に回動可能とされる左側回動体２Ａと、基台１に対してθ２方向に回動可能とされる右側回動体２Ｂが備えられる。左側回動体２Ａの上方には人の左側の膝部４Ａを載せて支持するための左膝受部３Ａが一体に備えられ、また右側回動体２Ｂの上方には人の右側の膝部４Ｂを載せて支持するための右膝受部３Ｂが一体に備えられる。  【選択図】  図１
0003181445.tif 000002
【実用新案登録請求の範囲】
【請求項１】
床面等の支持面に支持・固定される基台と、基台の上部に左右一対備えられ、平面それぞれ円形をなす支持凹部と、左右の支持凹部に対してそれぞれ嵌合可能に支持され、対応する支持凹部に対して平面略円形をなす支持凹部中心の軸回りに回動可能とされる回動体とからなり、左側の支持凹部に嵌合可能に支持される左回動体の上部には運動する者の左側脚部の膝部を載置する状態で支持する左膝受部が、右側の支持凹部に嵌合可能に支持される右回動体の上部には運動する者の右側脚部の膝部を載置する状態で支持する右膝受部がそれぞれ備えられ、
運動する者は左膝受部に左の膝部を載置し、右膝受部に右の膝部を載置して基台に対して左回動体と右回動体のそれぞれを対応する支持凹部に対して回動する運動動作を行うことにより、運動する者の脚部を中心とする身体の各筋肉を鍛練可能とする身体運動具。
【請求項２】
左右の各支持凹部の上部には、支持凹部の中心に対し、軸線を放射方向に対応させる状態で配置する複数本の支持ローラが備えられ、回動体はこれら支持ローラ上に支持される状態で対応する支持凹部に嵌合可能に支持される請求項１に記載の身体運動具。
【請求項３】
左右の回動体あるいは左右の支持凹部のいずれかには、運動する者は左膝受部に左の膝部を載置し、右膝受部に右の膝部を載置して基台に対して左回動体と右回動体のそれぞれを対応する支持凹部に対して回動する運動動作を行う際に、左右の足先部を揃えた状態から相互に離隔させ、開く状態になるよう左右の回動体を対応する支持凹部に対して回動させる運動動作を行う状態において、その回動を規制する回動抵抗体を備えることとしてなる請求項１に記載の身体運動具。
【請求項４】
回動抵抗体は、左右の回動体の間に懸架され、左右の回動体において運動する者は左膝受部に左の膝部を載置し、右膝受部に右の膝部を載置して基台に対して左回動体と右回動体のそれぞれを対応する支持凹部に対して回動する運動動作を行う際に、左右の足先部を揃えた状態から相互に離隔させ、開く状態になるよう左右の回動体を対応する支持凹部に対して回動させる運動動作を行う状態において、その回動を規制する引っ張り部材である請求項３に記載の身体運動具。
【請求項５】
回動抵抗体は、左右の回動体あるいは左右の支持凹部のいずれかに備えられ、左右の回動体において運動する者は左膝受部に左の膝部を載置し、右膝受部に右の膝部を載置して基台に対して左回動体と右回動体のそれぞれを対応する支持凹部に対して回動する運動動作を行う際に、左右の足先部を揃えた状態から相互に離隔させ、開く状態になるよう左右の回動体を対応する支持凹部に対して回動させる運動動作を行う状態において、その回動を規制するスプリング部材である請求項３に記載の身体運動具。
【考案の詳細な説明】
【技術分野】
【０００１】
本考案は、身体、特に上肢、下肢を中心とする脚部の筋肉を鍛練するための身体運動具に関する。
【背景技術】
【０００２】
身体、特に上肢、下肢を中心とする脚部の筋肉を鍛練するための身体運動具に関しては、従来より様々なタイプのものが存在する。例えば下記特許文献１に示す運動具は股関節やその周辺の筋肉を鍛練するためのものであり、例えばスポーツジムやトレーニング場などに設置し、利用されるものである。
【先行技術文献】
【特許文献】
【０００３】
【特許文献１】特開２００５−２１１３２７号公報この運動具は、運動者が運動具に一体に備えられる座部に脚を揃えて座った状態において、左右の脚部の膝の外方にそれぞれ左方あるいは右方に開閉可能な各開脚レバーを備えてなる。すなわち、運動具は左脚の膝の部分に左開脚レバーを当接させ、右脚の膝の部分に右開脚レバーを当接させるようにして各開脚レバーを開いたり閉じたりする動作を繰り返すことで運動者が膝を中心とする脚部の筋肉を鍛練し、股関節に柔軟性を持たせるべく鍛練するようにするものである。
【０００４】
ただ、こうした運動具のいずれもがスポーツジムやトレーニング場などに設置される大がかりなものであり、例えば個人が家庭等において簡易に下肢、上肢を中心とする脚部を鍛練する運動具については中々存在しないのが現状とされていた。
【０００５】
そうした中、出願人は上記特許文献１のように、大型で高価な運動具によることなく、家庭において比較的簡易に下肢、上肢を中心とする脚部を鍛練することができ、安価でコンパクトな運動具を開発すべく努力していた次第である。
【考案の概要】
【考案が解決しようとする課題】
【０００６】
本考案は、こうした開発過程の中でなされたものであり、家庭等において比較的簡易に下肢、上肢を中心とする脚部を鍛練することができ、安価でコンパクトな身体運動具の提供を目的としている。
【課題を解決するための手段】
【０００７】
上記目的を達成するため、本考案の請求項１は、床面等の支持面に支持・固定される基台と、基台の上部に左右一対備えられ、平面それぞれ円形をなす支持凹部と、左右の支持凹部に対してそれぞれ嵌合可能に支持され、対応する支持凹部に対して平面略円形をなす支持凹部中心の軸回りに回動可能とされる回動体とからなり、左側の支持凹部に嵌合可能に支持される左回動体の上部には運動する者の左側脚部の膝部を載置する状態で支持する左膝受部が、右側の支持凹部に嵌合可能に支持される右回動体の上部には運動する者の右側脚部の膝部を載置する状態で支持する右膝受部がそれぞれ備えられ、運動する者は左膝受部に左の膝部を載置し、右膝受部に右の膝部を載置して基台に対して左回動体と右回動体のそれぞれを対応する支持凹部に対して回動する運動動作を行うことにより、運動する者の脚部を中心とする身体の各筋肉を鍛練可能とする身体運動具としたものである。
【０００８】
また本考案の請求項２は、左右の各支持凹部の上部に、支持凹部の中心に対し、軸線を放射方向に対応させる状態で配置する複数本の支持ローラが備えられ、回動体はこれら支持ローラ上に支持される状態で対応する支持凹部に嵌合可能に支持される請求項１に記載の身体運動具としたものである。
【０００９】
また本考案の請求項３は、左右の回動体あるいは左右の支持凹部のいずれかに、運動する者が左膝受部に左の膝部を載置し、右膝受部に右の膝部を載置して基台に対して左回動体と右回動体のそれぞれを対応する支持凹部に対して回動する運動動作を行う際に、左右の足先部を揃えた状態から相互に離隔させ、開く状態になるよう左右の回動体を対応する支持凹部に対して回動させる運動動作を行う状態において、その回動を規制する回動抵抗体を備えることとした請求項１に記載の身体運動具としたものである。
【００１０】
また本考案の請求項４は、上記回動抵抗体を、左右の回動体の間に懸架され、左右の回動体において運動する者は左膝受部に左の膝部を載置し、右膝受部に右の膝部を載置して基台に対して左回動体と右回動体のそれぞれを対応する支持凹部に対して回動する運動動作を行う際に、左右の足先部を揃えた状態から相互に離隔させ、開く状態になるよう左右の回動体を対応する支持凹部に対して回動させる運動動作を行う状態において、その回動を規制する引っ張り部材である請求項３に記載の身体運動具としたものである。
【００１１】
さらに本考案の請求項５は、上記回動抵抗体を、左右の回動体あるいは左右の支持凹部のいずれかに備えられ、左右の回動体において運動する者は左膝受部に左の膝部を載置し、右膝受部に右の膝部を載置して基台に対して左回動体と右回動体のそれぞれを対応する支持凹部に対して回動する運動動作を行う際に、左右の足先部を揃えた状態から相互に離隔させ、開く状態になるよう左右の回動体を対応する支持凹部に対して回動させる運動動作を行う状態において、その回動を規制するスプリング部材である請求項３に記載の身体運動具としたものである。
【考案の効果】
【００１２】
本考案によれば、床面等の支持面に支持・固定される基台と、基台の上部に左右一対備えられ、平面それぞれ円形をなす支持凹部と、左右の支持凹部に対してそれぞれ嵌合可能に支持され、対応する支持凹部に対して平面略円形をなす支持凹部中心の軸回りに回動可能とされる回動体とからなり、左側の支持凹部に嵌合可能に支持される左回動体の上部には運動する者の左側脚部の膝部を載置する状態で支持する左膝受部が、右側の支持凹部に嵌合可能に支持される右回動体の上部には運動する者の右側脚部の膝部を載置する状態で支持する右膝受部がそれぞれ備えられ、運動する者は左膝受部に左の膝部を載置し、右膝受部に右の膝部を載置して基台に対して左回動体と右回動体のそれぞれを対応する支持凹部に対して回動する運動動作を行うことにより、運動する者の脚部を中心とする身体の各筋肉を鍛練可能とすることが可能となる。すなわち、この身体運動具１０によれば、図１に示すように左膝受部３Ａの部分に左側の膝部４Ａを載せ、左膝受部３Ｂの部分に左側の膝部４Ｂを載せて、それぞれ支持させるようにする。その後運動する者の両膝部４Ａ、４Ｂを揃えるようにして左右の回動体２Ａ、２Ｂを基台１に対して左側に回転させたり（図１１の（Ｂ）参照）、また右側に回転させる動作（図１１の（Ｃ）参照）を図１１の（Ａ）ないし（Ｃ）に示す順で繰り返す、いわゆるツイスト運動を行い、身体の腹斜筋、腹直筋、脊椎起立筋、腸腰筋等を鍛錬することが可能となる。また図１に示すように右膝受部３Ａの部分に右側の膝部４Ａを載せ、左膝受部３Ｂの部分に左側の膝部４Ｂを載せた状態で左右の回動体２Ａ、２Ｂを、両者の手前側間に懸架される回動抵抗体としての引っ張り部材９の引張力に抗するようにして左右の膝受部３Ａ、３Ｂが図１２（Ｂ）に示すように正面から観てハの字になるように拡開させ、また両膝受部３Ａ、３Ｂが図１、図１２（Ａ）に示す閉じる状態を相互に繰り返す運動を順次行うこともできる。この動作により身体の臀部における中臀筋、大臀筋、小臀筋、骨盤底筋群、内転筋を鍛錬したり、身体の背中における僧帽筋や広背筋を鍛錬することが可能となる。これにより、従来のような大がかりな運動具によることなく、家庭等において比較的簡易に下肢、上肢を中心とする脚部を鍛練することができ、安価でコンパクトな身体運動具を提供することが可能となる。
【図面の簡単な説明】
【００１３】
【図１】本考案の実施形態に係る身体運動具に対し、運動する者が左右の各脚部を支持させ、運動する状態を示す斜視図である。
【図２】身体運動具の平面図である。
【図３】身体運動具の右側面図である。
【図４】身体運動具の底面図である。
【図５】身体運動具の正面図である。
【図６】身体運動具の背面図である。
【図７】身体運動具の左右の回動体間に回動抵抗体としての引っ張り部材を懸架させる状態を示す正面図である。
【図８】基台の支持凹部に対し、回動体を嵌合させ、支持させる状態を示す一部破断の背面図である。
【図９】基台の支持凹部を示す平面図である。
【図１０】基台をその底部より観た斜視図である。
【図１１】身体運動具を用いての運動の一例を示す斜視図である。
【図１２】身体運動具を用いての運動の他の例を示す斜視図である。
【考案を実施するための形態】
【００１４】
以下、本考案の実施形態に係る身体運動具を、図１ないし図１２に基づいて説明する。身体運動具１０は図１に示すように全体扁平な平面視瓢箪形状の外観を有する基台１を備える。この基台１は、床面等に支持面に載置される状態で支持され、基台１上には基台１に対してθ１方向に回動可能とされる左側回動体２Ａと、基台１に対してθ２方向に回動可能とされる右側回動体２Ｂが備えられる。左側回動体２Ａの上方には人の左側の膝部４Ａを載せて支持するための左膝受部３Ａが一体に備えられ、また右側回動体２Ｂの上方には人の右側の膝部４Ｂを載せて支持するための右膝受部３Ｂが一体に備えられる。
【００１５】
すなわち、身体運動具１０は床面等の支持面に支持・固定される基台１と、基台１の上部に左右一対備えられ、平面それぞれ円形をなす支持凹部５Ａ，５Ｂと、左右の支持凹部５Ａ，５Ｂに対してそれぞれ嵌合可能に支持され、対応する支持凹部５Ａ，５Ｂに対して平面略円形をなす支持凹部５Ａ，５Ｂ中心の軸回りに回動可能とされる回動体２Ａ，２Ｂとからなり、左側の支持凹部５Ａに嵌合可能に支持される左側回動体２Ａの上部には運動する者の左側脚部の膝部４Ａを載置する状態で支持する左膝受部３Ａが、右側の支持凹部５Ｂに嵌合可能に支持される右側回動体２Ｂの上部には運動する者の右側脚部の膝部４Ｂを載置する状態で支持する右膝受部３Ｂがそれぞれ備えられる。
【００１６】
実施形態において、基台１は全体合成樹脂材にて形成され、また左右の各回動体２Ａ，２Ｂも全体合成樹脂材にて形成される。左右の各支持凹部５Ａ，５Ｂ内の上部には、図９の右側の支持凹部５Ｂで示すように支持凹部５Ｂの中心に対し、各軸線を放射方向に延設するように対応させ、配置する６本の支持ローラ６Ａないし６Ｆが備えられる。また、左右の各支持凹部５Ａ，５Ｂの中心位置には上方に向けて突出し、立設される嵌合軸７が備えられる。すなわち、各支持ローラ６Ａないし６Ｆは、嵌合軸７を中心にその軸線を放射方向に延設し、軸線回りに回動可能にしている。
【００１７】
左側の支持凹部５Ａに嵌合可能に支持される左回動体２Ａ、あるいは右側の支持凹部５Ｂに嵌合可能に支持される右回動体２Ｂのそれぞれは、平面円形とされる各支持凹部５Ａ，５Ｂに対し、嵌合可能となるようその底部を円柱形状としてなる。そして、左回動体２Ａおよび右回動体２Ｂそれぞれの底部中心には、凹状の軸受部８が備えられ、該軸受部８は各支持凹部５Ａ，５Ｂの中心位置に立設される嵌合軸７に嵌合させるようにして、各回動体２Ａ，２Ｂの底面部を対応する支持凹部５Ａ，５Ｂの上面に備えられる各支持ローラ６Ａないし６Ｆ上に載置させるようにして支持される。
【００１８】
この結果、上記のように左側回動体２Ａは、支持凹部５Ａ内の各支持ローラ６Ａないし６Ｆ上でθ１方向に回動可能に載置され、よって基台１に対してθ１方向に回動可能に支持されることになる。また右側回動体２Ｂは、支持凹部５Ａ内の各支持ローラ６Ａないし６Ｆ上でθ２方向に回動可能に載置され、よって基台１に対してθ２方向に回動可能に支持されることになる。
【００１９】
左側回動体２Ａの上方に支持する状態で備えられる左膝受部３Ａ、および右側回動体２Ｂの上方に支持する状態で備えられる右膝受部３Ｂのそれぞれは、クッション性に富む布材や合成樹脂材が用いられ、運動する者が各膝部４Ａ，４Ｂを載せて支持する場合において、膝部４Ａ，４Ｂに負担がかからないようにしている。
【００２０】
左右の回動体２Ａ，２Ｂの間には、運動する者は左膝受部３Ａに左の膝部４Ａを載置し、右膝受部３Ｂに右の膝部４Ｂを載置して基台１に対して左回動体２Ａと右回動体２Ｂのそれぞれを、図１に示すように対応する支持凹部５Ａ，５Ｂに対してθ１方向あるいはθ２方向に回動する運動動作を行う際に、左右の足先部を揃えた状態（すなわち、図１２の（Ａ）に示す状態）から相互に離隔させ、開く状態（すなわち、図１２の（Ｂ）に示す状態）に変化させ、左右の回動体２Ａ，２Ｂを対応する支持凹部５Ａ，５Ｂに対して回動させる運動動作を行う状態において、その回動を規制する回動抵抗体を備えることとしてなる
【００２１】
この実施形態において回動抵抗体は、図５に示すように左右の回動体２Ａ，２Ｂの手前側の間に懸架され、左右の回動体２Ａ，２Ｂにおいて運動する者は左膝受部３Ａに左の膝部４Ａを載置し、右膝受部３Ｂに右の膝部４Ｂを載置して基台１に対して左回動体２Ａと右回動体２Ｂのそれぞれを対応する支持凹部５Ａ，５Ｂに対して回動する運動動作を行う際に、左右の足先部を揃えた状態（すなわち、図１２の（Ａ）に示す状態）から相互に離隔させ、開く状態になるよう左右の回動体２Ａ，２Ｂを対応する支持凹部５Ａ，５Ｂに対して回動させる運動動作を行う状態（すなわち、図１２の（Ｂ）に示す状態）において、その回動を規制する引っ張り部材９とされる。
【００２２】
回動抵抗体としての引っ張り部材９は、常時は左右の回動体２Ａ，２Ｂの手前側から取り外され、図１０に示すように基部１の底部に収容し、格納できるようにしている。そして図１２に示す運動動作を行うに際し、図７あるいは図１０に示すように引っ張り部材９の両端部に備えられる取付部１１を対応する回動体２Ａ，２Ｂの手前の下部に備えられる取付孔（不図示）に挿入して取り付けるようにしている。この引っ張り部材９は、図７の矢印Ａ方向に伸縮可能とされ、伸縮可能な紐状体（例えばゴムや伸縮可能な合成樹脂材など）により形成される。この結果、運動する者は左膝受部３Ａに左の膝部４Ａを載置し、右膝受部３Ｂに右の膝部４Ｂを載置して基台１に対して左回動体２Ａと右回動体２Ｂのそれぞれを対応する支持凹部５Ａ，５Ｂに対して回動する運動動作を行う際に、左右の足先部を揃えた状態（すなわち、図１２の（Ａ）に示す状態）から相互に離隔させ、開く状態になるよう左右の回動体２Ａ，２Ｂを対応する支持凹部５Ａ，５Ｂに対して回動させる運動動作を行う状態（すなわち、図１２の（Ｂ）に示す状態）において、弾性を有する引っ張り部材９の引っ張り力に抗してその回動を規制され、運動する者の左右の脚部に矢印Ｂ方向の負荷がかかることとなる。
【００２３】
こうして構成される身体運動具１０を用い、運動する者が運動を行う場合、先ず図１に示すように左膝受部３Ａの部分に左側の膝部４Ａを載せ、右膝受部３Ｂの部分に右側の膝部４Ｂを載せ、それぞれ支持するようにする。その後両膝部４Ａ、４Ｂおよび左右の足先部を揃えた状態（すなわち、図１１の（Ａ）に示す状態）で、左右の回動体２Ａ、２Ｂを基台１に対して左側時計回りに回転させる運動（すなわち、図１１の（Ｂ）に示す状態）を行うことができる。また図１に示すように左膝受部３Ａの部分に左側の膝部４Ａを載せ、右膝受部３Ｂの部分に右側の膝部４Ｂを載せ、両膝部４Ａ、４Ｂおよび左右の足先部を揃えた状態（すなわち、図１１の（Ａ）に示す状態）で、左右の回動体２Ａ、２Ｂを基台１に対して右側反時計回りに回転させる運動（すなわち、図１１の（Ｃ）に示す状態）を行うこともできる。すなわち、運動する者は、左膝受部３Ａの部分に左側の膝部４Ａを載せ、右膝受部３Ｂの部分に右側の膝部４Ｂを載せた状態で基台１に対して各回動体２Ａ、２Ｂをθ１方向あるいはθ２方向に回動する運動動作を繰り返す、いわゆるツイスト運動を行うことが可能となる。運動する者は、こうしたツイスト運動により、身体の腹斜筋、腹直筋、脊椎起立筋、腸腰筋等を鍛錬することが可能となる。
【００２４】
さらに運動する者が運動を行う場合、図１に示すように左膝受部３Ａの部分に左側の膝部４Ａを載せ、右膝受部３Ｂの部分に右側の膝部４Ｂを載せた状態で、上記のように左右の回動体２Ａ、２Ｂを、回動体２Ａ、２Ｂの手前側間に懸架される引っ張り部材９の引張力に抗するようにして左右の足先部を揃えた状態（すなわち、図１２の（Ａ）に示す状態）から、足先部を相互に離隔させ、足先を平面ハの字になるよう拡開させる動作（すなわち、図１２の（Ｂ）に示す状態）を相互に繰り返す運動を行うこともできる。この動作により身体の臀部における中臀筋、大臀筋、小臀筋、骨盤底筋群、内転筋を鍛錬したり、身体の背中における僧帽筋や広背筋を鍛錬することが可能となる。
【００２５】
このように身体運動具１０によれば、従来のような大がかりな運動具によることなく、家庭等において床面等に簡単に設置することができ、比較的簡易に下肢、上肢を中心とする脚部を鍛練することができ、安価でコンパクトな身体運動具を気軽に行うことが可能となる。
【００２６】
なお、上記実施形態では、回動抵抗体を、左右の回動体２Ａ、２Ｂの手前側間に懸架される引っ張り部材９としているが、回動抵抗体はこのようなものに限定されず、左右の回動体２Ａ、２Ｂあるいは左右の支持凹部５Ａ，５Ｂのいずれかに備えられ、左右の回動体２Ａ、２Ｂにおいて運動する者が左膝受部３Ａに左の膝部４Ａを載置し、右膝受部３Ｂに右の膝部４Ｂを載置して基台１に対して左回動体２Ａと右回動体２Ｂのそれぞれを対応する支持凹部５Ａ，５Ｂに対して回動する運動動作を行う際に、左右の足先部を揃えた状態から相互に離隔させ、開く状態になるよう左右の回動体を対応する支持凹部５Ａ，５Ｂに対して回動させる運動動作を行う状態において、その回動を規制するものであればどのような構成のものでもよい。
【００２７】
すなわち、回動抵抗体としては、左側回動体２Ａと左側の支持凹部５Ａ、あるいは右側回動体２Ｂと右側の支持凹部５Ｂ間にそれぞれ介装され、図１２（Ｂ）の矢印Ｃ方向での回動を規制するスプリング部材であってもよい。また図８に示す軸受部８と嵌合軸７との間に配設され、回動抵抗を調整できるブレーキ手段であってもよい。
【００２８】
さらに上記実施形態では、左側回動体２Ａは支持凹部５Ａ内の各支持ローラ６Ａないし６Ｆ上でθ１方向に回動可能に載置され、また右側回動体２Ｂは支持凹部５Ａ内の各支持ローラ６Ａないし６Ｆ上でθ２方向に回動可能に載置され、よって左側回動体２Ａは基台１に対してθ１方向に回動可能に支持され、かつ右側回動体２Ｂは基台１に対してθ２方向に回動可能に支持されるようにしているが、本発明に係る身体運動具はこのような構成のものに限定されず、例えば各回動体２Ａ，２Ｂを対応する支持凹部５Ａ，５Ｂに対し、ベアリングや摺動部材を介して支持させるようにしてもよい。
【産業上の利用可能性】
【００２９】
以上のように、本考案に係る身体運動具は、従来のような大がかりな運動具によることなく、家庭等において床面等に簡単に設置することができ、比較的簡易に下肢、上肢を中心とする脚部を鍛練することができ、安価でコンパクトな身体運動具を気軽に行うことができるため、アスレチッククラブやスポーツジムばかりでなく、家庭で簡単に身体の鍛練を行うことが可能となる。
【符号の説明】
【００３０】
１                                                  基部
２Ａ，２Ｂ                                          回動体
３Ａ，３Ｂ                                          膝受部
４Ａ，４Ｂ                                          膝部
５Ａ，５Ｂ                                          支持凹部
６Ａ〜６Ｆ                                          支持ローラ
７                                                  嵌合軸
８                                                  軸受部
９                                                  引っ張り部材
（回動抵抗体）
１０                                                身体運動具
１１                                                取付部
【図１】
0003181445.tif 000003
【図２】
0003181445.tif 000004
【図３】
0003181445.tif 000005
【図４】
0003181445.tif 000006
【図５】
0003181445.tif 000007
【図６】
0003181445.tif 000008
【図７】
0003181445.tif 000009
【図８】
0003181445.tif 000010
【図９】
0003181445.tif 000011
【図１０】
0003181445.tif 000012
【図１１】
0003181445.tif 000013
【図１２】
0003181445.tif 000014